(57)【要約】  【課題】  リモコン信号に基づきバルブ撮影を行うときの操作を簡単にすることが可能な撮像装置、リモコン信号送信装置を提供する。  【解決手段】  デジタルカメラ１は、撮影モード選択用のモードダイヤル２２と、マニュアル撮影モード選択時に露出時間を設定するメインダイヤル２３と、リモコン信号を受信するリモコン受信部２１と、マニュアル撮影モード選択時に、第１のリモコン信号を受信するとメインダイヤル２３により設定された露出時間に基づいて露光量を制御し、第２のリモコン信号を受信するとその受信タイミングに基づき露光の開始および終了を制御する撮像制御部８およびＣＰＵ１８と、を備える。リモコン信号送信装置３０は、第１操作部３５と、第２操作部３６と、第１操作部３５の操作で第１のリモコン信号を送信し第２操作部３６の操作で第２のリモコン信号を送信するリモコン送信部３１と、を備える。【選択図】図１
2007072010.tif 000002
【特許請求の範囲】
【請求項１】
マニュアル撮影モードを含む一以上の撮影モードから撮影モードを選択するための撮影モード選択部と、
上記撮影モード選択部により選択されている撮影モードが上記マニュアル撮影モードである場合に、露出時間をマニュアルで設定し得る露出時間設定部と、
第１のリモコン信号と第２のリモコン信号とを受信するための受信部と、
上記撮影モード選択部によりマニュアル撮影モードが選択されている場合に、上記第１のリモコン信号を受信したときは上記露出時間設定部により設定された露出時間に基づいて露光量を制御し、上記第２のリモコン信号を受信したときは該第２のリモコン信号の受信タイミングに基づき露光の開始および終了を制御する露光量制御部と、
を具備したことを特徴とする撮像装置。
【請求項２】
マニュアル撮影モードを含む一以上の撮影モードから撮影モードを選択するための撮影モード選択部と、上記撮影モード選択部により選択されている撮影モードが上記マニュアル撮影モードである場合に露出時間をマニュアルで設定し得る露出時間設定部と、第１のリモコン信号と第２のリモコン信号とを受信する受信部と、上記撮影モード選択部によりマニュアル撮影モードが選択されている場合に上記第１のリモコン信号を受信したときは上記露出時間設定部により設定された露出時間に基づいて露光量を制御し上記第２のリモコン信号を受信したときは該第２のリモコン信号の受信タイミングに基づき露光の開始および終了を制御する露光量制御部と、を含む撮像装置へリモコン信号を送信するためのリモコン信号送信装置であって、
上記第１のリモコン信号を送信する操作を行うための第１操作部と、
上記第２のリモコン信号を送信する操作を行うための第２操作部と、
上記第１操作部が操作されたときには上記第１のリモコン信号を上記撮像装置へ送信し、上記第２操作部が操作されたときには上記第２のリモコン信号を上記撮像装置へ送信する送信部と、
を具備したことを特徴とするリモコン信号送信装置。
【請求項３】
時間をカウントするためのタイマ部と、
上記第２操作部の操作により第２のリモコン信号が送信されるときには、該第２のリモコン信号により露光を開始させるための送信タイミングに基づき上記タイマ部をリセットし、該第２のリモコン信号により露光を終了させるための送信タイミングに基づき該タイマ部をストップするタイマ制御部と、
上記タイマ部によりカウントされている時間を表示する表示部と、
をさらに具備したことを特徴とする請求項２に記載のリモコン信号送信装置。
【請求項４】
携帯電話としての機能を有する通信部をさらに具備したことを特徴とする請求項３に記載のリモコン信号送信装置。
【発明の詳細な説明】
【技術分野】
【０００１】
本発明は、リモコン信号に基づく所望露出時間の撮影が可能な撮像装置と、この撮像装置へリモコン信号を送信するためのリモコン信号送信装置とに関する。
【背景技術】
【０００２】
デジタルカメラや銀塩カメラなどの静止画を撮影し得る撮像装置を用いて、例えば夜景を撮影しようとするときなどには、バルブ撮影が行われることがある。このバルブ撮影は、レリーズボタンを押下している間は、シャッタが開き続け、所望の時間だけの長時間露光を行うことができるものである。
【０００３】
このようなバルブ撮影を行おうとする場合には、長時間露光の間にカメラがぶれることのないように、三脚等にカメラを設置すると共に、ケーブルレリーズを用いるなどして、レリーズボタンを押下するときにカメラが動くのを防止することが行われる。
【０００４】
上記ケーブルレリーズに対して、レリーズボタンを押下するときのカメラの動きをより手軽に防止することができる手段として、リモートコントローラ（リモコン）によりバルブ撮影を行うことができるように構成されたものがある。
【０００５】
このような技術の一例として、特開平３−１５８８３９号公報には、リモートコントローラによりバルブ撮影の開始と終了とを制御することができるように構成されたカメラが記載されている。すなわち、該公報に記載のカメラは、まず、カメラ本体側に設けられたリモコンモード切換スイッチ（１０３）を操作することによってリモコンモードを選択し、さらに、カメラ本体側に設けられたバルブモード選択スイッチ（１０４）を操作することによってバルブモードを選択しておく。この状態でカメラのリモコン受信部（１０１）がリモコンからの信号を受信すると、露出制御部（１００）が露光動作を開始する。その後に、このリモコン受信部（１０１）がリモコンからの信号を再び受信すると、露出制御部（１００）が露光動作を終了する。
【特許文献１】特開平３−１５８８３９号公報
【発明の開示】
【発明が解決しようとする課題】
【０００６】
しかしながら、上記特開平３−１５８８３９号公報に記載されたような技術では、リモコンを用いてバルブ撮影を行うときには、カメラ側において、モードの設定の操作を予め２回行う必要があるために、操作が面倒であると共に、各モードを設定するための操作釦等の部材が必要となっていた。
【０００７】
本発明は上記事情に鑑みてなされたものであり、リモコン信号に基づきバルブ撮影を行うときの操作を簡単にすることが可能な撮像装置、リモコン信号送信装置を提供することを目的としている。
【課題を解決するための手段】
【０００８】
上記の目的を達成するために、第１の発明による撮像装置は、マニュアル撮影モードを含む一以上の撮影モードから撮影モードを選択するための撮影モード選択部と、上記撮影モード選択部により選択されている撮影モードが上記マニュアル撮影モードである場合に露出時間をマニュアルで設定し得る露出時間設定部と、第１のリモコン信号と第２のリモコン信号とを受信するための受信部と、上記撮影モード選択部によりマニュアル撮影モードが選択されている場合に上記第１のリモコン信号を受信したときは上記露出時間設定部により設定された露出時間に基づいて露光量を制御し上記第２のリモコン信号を受信したときは該第２のリモコン信号の受信タイミングに基づき露光の開始および終了を制御する露光量制御部と、を具備したものである。
【０００９】
また、第２の発明によるリモコン信号送信装置は、マニュアル撮影モードを含む一以上の撮影モードから撮影モードを選択するための撮影モード選択部と、上記撮影モード選択部により選択されている撮影モードが上記マニュアル撮影モードである場合に露出時間をマニュアルで設定し得る露出時間設定部と、第１のリモコン信号と第２のリモコン信号とを受信する受信部と、上記撮影モード選択部によりマニュアル撮影モードが選択されている場合に上記第１のリモコン信号を受信したときは上記露出時間設定部により設定された露出時間に基づいて露光量を制御し上記第２のリモコン信号を受信したときは該第２のリモコン信号の受信タイミングに基づき露光の開始および終了を制御する露光量制御部と、を含む撮像装置へリモコン信号を送信するためのリモコン信号送信装置であって、上記第１のリモコン信号を送信する操作を行うための第１操作部と、上記第２のリモコン信号を送信する操作を行うための第２操作部と、上記第１操作部が操作されたときには上記第１のリモコン信号を上記撮像装置へ送信し上記第２操作部が操作されたときには上記第２のリモコン信号を上記撮像装置へ送信する送信部と、を具備したものである。
【００１０】
さらに、第３の発明によるリモコン信号送信装置は、上記第２の発明によるリモコン信号送信装置において、時間をカウントするためのタイマ部と、上記第２操作部の操作により第２のリモコン信号が送信されるときには該第２のリモコン信号により露光を開始させるための送信タイミングに基づき上記タイマ部をリセットし該第２のリモコン信号により露光を終了させるための送信タイミングに基づき該タイマ部をストップするタイマ制御部と、上記タイマ部によりカウントされている時間を表示する表示部と、をさらに具備したものである。
【００１１】
第４の発明によるリモコン信号送信装置は、上記第３の発明によるリモコン信号送信装置において、携帯電話としての機能を有する通信部をさらに具備したものである。
【発明の効果】
【００１２】
本発明の撮像装置、リモコン信号送信装置によれば、リモコン信号に基づきバルブ撮影を行うときの操作を簡単にすることが可能となる。
【発明を実施するための最良の形態】
【００１３】
以下、図面を参照して本発明の実施の形態を説明する。
【００１４】
［実施形態１］
図１および図２は本発明の実施形態１を示したものであり、図１は撮像システムの構成を示すブロック図である。
【００１５】
この撮像システムは、デジタルカメラ１と、リモートコントロール信号（以下、適宜「リモコン信号」と省略する。）送信装置３０と、を有して構成されている。
【００１６】
デジタルカメラ１は、撮像部２と、画像取込制御部９と、メモリ制御部１０と、ＳＤＲＡＭ１１と、画像処理部１２と、表示制御部１３と、液晶モニタ１４と、メモリカード制御部１５と、通信制御部１６と、フラッシュメモリ１７と、ＣＰＵ１８と、操作受付部２０と、を含む撮像装置である。そして、このデジタルカメラ１には、記録媒体としてのメモリカード１９が、例えば着脱自在に装着され得るようになっていて、このメモリカード１９へのデータの書き込みや、該メモリカード１９からのデータの読み出しは、メモリカード制御部１５により行われるようになっている。
【００１７】
撮像部２は、光学的な被写体像を電気的な画像信号に変換する撮像を行うためのものであり、レンズ３と、絞り４と、シャッタ５と、撮像素子６と、Ａ／Ｄ変換部７と、撮像制御部８と、を含んで構成されている。
【００１８】
レンズ３は、被写体像を撮像素子６の撮像面上に光学像として結像するための光学系である。このレンズ３は、焦点位置を調節するためのフォーカスレンズを含むとともに、ズームレンズとして構成されている場合には焦点距離を調節するためのレンズも含んで構成される。
【００１９】
絞り４は、レンズ３からの光束の通過範囲を規定することにより光量を調節し、ひいては撮像面上に結像される被写体像の明るさを調整するためのものである。
【００２０】
シャッタ５は、レンズ３からの光束の通過時間を制御するための露出時間制御手段である。
【００２１】
撮像素子６は、絞り４およびシャッタ５を介してレンズ３により結像された被写体像を光電変換して、電気信号として出力するためのものである。
【００２２】
Ａ／Ｄ変換部７は、撮像素子６から出力されるアナログの画像信号をデジタルの画像データに変換するためのものである。
【００２３】
撮像制御部８は、ＣＰＵ１８の制御に基づき、レンズ３による合焦調節（あるいは、さらにズーム調節など）や、絞り４の開口の制御、シャッタ５の駆動制御、撮像素子６のタイミング制御、Ａ／Ｄ変換部７の動作タイミングの調整などを行うためのものであり、露光量制御部となっている。
【００２４】
画像取込制御部９は、撮像部２から出力される画像データをメモリ制御部１０を介してＳＤＲＡＭ１１に記憶させる制御を行うためのものである。
【００２５】
メモリ制御部１０は、画像取込制御部９、画像処理部１２、表示制御部１３、メモリカード制御部１５、通信制御部１６、ＣＰＵ１８からの要求に基づき、ＳＤＲＡＭ１１へのデータの書き込みやＳＤＲＡＭ１１からのデータの読み出しを制御するためのものであり、ＤＲＡＭコントローラと、ＤＭＡ（Direct Memory Access）コントローラ（バス調停）と、を含んでいる。従って、各制御部等からのＳＤＲＡＭ１１へのアクセスは、このメモリ制御部１０を介して行われることになるが、以下では、該メモリ制御部１０を介する旨の説明は適宜省略する。
【００２６】
ＳＤＲＡＭ１１は、画像取込制御部９により取り込まれた画像データや、画像処理部１２により処理された画像データ、あるいはメモリカード制御部１５によりメモリカード１９から読み出された画像データ、表示制御部１３を介して液晶モニタ１４に表示するための表示用データなどを記憶するものであると共に、ＣＰＵ１８の作業用のメモリとしても用いられる記憶手段である。
【００２７】
画像処理部１２は、画像取込制御部９によってＳＤＲＡＭ１１内に取り込まれた画像データを読み出して、画像データを輝度／色差（Ｙ／Ｃ）信号に変換し、リサイズや圧縮などの種々の画像処理を行って、処理後の画像データをＳＤＲＡＭ１１に書き込む処理を行うものである。また、画像処理部１２は、メモリカード１９から圧縮された画像データが読み出されてＳＤＲＡＭ１１に記憶されている場合には、該圧縮データの伸張処理も行うものとなっている。
【００２８】
表示制御部１３は、ＳＤＲＡＭ１１上に記憶されている表示用データを読み込んで、液晶モニタ１４を制御し各種の表示を行わせるものである。
【００２９】
液晶モニタ１４は、デジタルカメラ１の例えば背面側に配置されていて、これから撮像しようとする被写体をモニタ表示したり、デジタルカメラ１により撮像された画像を撮像後に表示したり、このデジタルカメラ１に係る各種の情報を表示したりするための表示手段である。この液晶モニタ１４により表示される情報には、撮影モードに関する情報も含まれ、マニュアル撮影モードに設定されたときには、その旨を表示することが可能となっている。
【００３０】
メモリカード制御部１５は、このデジタルカメラ１に着脱自在のメモリカード１９に、ＳＤＲＡＭ１１に記憶されている画像データ（ＲＡＷデータ、あるいは画像処理部１２により処理された画像データ等）を書き込んだり、あるいは既にメモリカード１９に書き込まれている画像データを読み込んでＳＤＲＡＭ１１に記憶させたりする制御を行うためのものである。
【００３１】
通信制御部１６は、このデジタルカメラ１を外部の機器、例えばパーソナルコンピュータ（ＰＣ）に接続して通信を行うためのものである。通信手段の具体的な一例としては、ＵＳＢが挙げられる。
【００３２】
フラッシュメモリ１７は、ＣＰＵ１８により実行される処理プログラムや、このデジタルカメラ１において用いられる各種のデータを記憶するための不揮発性の記録媒体である。このフラッシュメモリ１７には、さらに、デジタルカメラ１を識別するための識別コード（シリアル番号）なども工場出荷時に記録されている。
【００３３】
ＣＰＵ１８は、このデジタルカメラ１を統合的に制御する制御手段である。
【００３４】
また、操作受付部２０は、ユーザによる操作を受け付けて、受け付けた操作内容をＣＰＵ１８へ送信するためのものであり、リモコン受信部２１と、モードダイヤル２２と、メインダイヤル２３と、サブダイヤルと２４と、を含んで構成されている。
【００３５】
リモコン受信部２１は、リモコン信号送信装置３０から送信されるリモコン信号を受信するためのものである。
【００３６】
モードダイヤル２２は、このデジタルカメラ１の撮影モードやその他のモードを設定するための操作ダイヤルとして構成された撮影モード選択部である。このモードダイヤル２２により設定可能な撮影モードは、マニュアル撮影モードを含み、その他に、プログラム撮影モード、絞り優先撮影モード、シャッタ優先撮影モード、なども設定可能となっている。
【００３７】
メインダイヤル２３は、このデジタルカメラ１に係る各種の操作入力を行うためのものである。具体的には、上述したモードダイヤル２２によりマニュアル撮影モードが設定されているときには、このメインダイヤル２３は、例えば、シャッタ速度を変更するために用いられ、露出時間設定部として機能する。
【００３８】
サブダイヤル２４は、メインダイヤル２３と共に用いられるものである。具体的に、上記モードダイヤル２２によりマニュアル撮影モードが設定されているときには、このサブダイヤル２４は、絞り値を変更するために用いられる。なお、ここでは、メインダイヤル２３によりシャッタ速度を変更し、サブダイヤル２４により絞り値を変更するようにしているが、これとは逆に、メインダイヤル２３により絞り値を変更し、サブダイヤル２４によりシャッタ速度を変更するようにしてももちろん構わない。さらに、このサブダイヤル２４は、メインダイヤル２３により選択された項目を決定する際に用いることも可能となっている。
【００３９】
次に、リモコン信号送信装置３０は、リモコン送信部３１と、表示制御部３２と、液晶モニタ３３と、通信部３４と、第１操作部３５と、第２操作部３６と、タイマ３７と、ＣＰＵ３８と、を含んでいる。
【００４０】
リモコン送信部３１は、第１操作部３５または第２操作部３６の操作を受けたＣＰＵ３８からの指令により、操作された操作部に応じたリモコン信号をデジタルカメラ１へ送信するためのものである。すなわち、リモコン送信部３１は、第１操作部３５が操作されたときには第１のリモコン信号を、第２操作部３６が操作されたときには第２のリモコン信号を、それぞれ送信するようになっている。
【００４１】
表示制御部３２は、第２操作部３６が操作されたときには、ＣＰＵ３８からの命令に基づいて、液晶モニタ３３にバルブ撮影を行っている最中の現在までの露出時間を表示させるように制御するものである。また、この表示制御部３２は、このリモコン信号送信装置３０が通信部３４により携帯電話としての機能を果たす際には、ＣＰＵ３８からの命令に基づいて、携帯電話に係る各種の表示を行わせるように液晶モニタ３３を制御するものとなっている。
【００４２】
液晶モニタ３３は、表示制御部３２により制御されて、このリモコン信号送信装置３０に係る各種の表示を行うための表示部である。
【００４３】
通信部３４は、携帯電話としての通信機能を果たすためのものである。
【００４４】
第１操作部３５は、第１のリモコン信号を送信する操作を行うための操作部である。デジタルカメラ１がマニュアル撮影モードに設定されると、ユーザは露出時間を手動で設定することになる。そして、デジタルカメラ１がマニュアル撮影モードに設定されているときにこの第１のリモコン信号が送信されると、手動で設定された露出時間で該デジタルカメラ１による露光が行われるようになっている。
【００４５】
第２操作部３６は、第２のリモコン信号を送信する操作を行うための操作部である。デジタルカメラ１がマニュアル撮影モードに設定されているときにこの第２のリモコン信号が送信されると、バルブ撮影の開始および終了がデジタルカメラ１において行われるようになっている。具体的には、第２操作部３６を押圧して１度目のリモコン信号を送信すると、デジタルカメラ１においてバルブ撮影が開始され、該第２操作部３６を押圧して２度目のリモコン信号を送信するとバルブ撮影が終了するようになっている。もちろん、これに限らず、第２操作部３６を押し続けている間はバルブ撮影が行われるようにしても構わない。
【００４６】
タイマ３７は、時間を計測して計測結果をＣＰＵ３８へ送信するタイマ部であり、バルブ撮影時の時間の計測等に用いられるようになっている。また、このタイマ３７は、ＣＰＵ３８からの命令に基づきリセットあるいはストップされるようになっていて、ＣＰＵ３８が該タイマ３７を制御するためのタイマ制御部として機能するようになっている。
【００４７】
ＣＰＵ３８は、このリモコン信号送信装置３０を統合的に制御するための制御手段であり、携帯電話としての各種機能も制御するようになっている。
【００４８】
続いて、図２は、リモコン撮影を行うときのデジタルカメラ側およびリモコン信号送信装置側の処理を示すフローチャートである。
【００４９】
デジタルカメラ１側の処理を開始すると、まず、モードダイヤル２２によりマニュアル撮影モードに設定されているか否かを判定する（ステップＳ１）。
【００５０】
ここで、マニュアル撮影モードに設定されていない場合には、他の撮影モードによる処理を行い（ステップＳ２）、終了する。
【００５１】
また、マニュアル撮影モードに設定されている場合には、第１のリモコン信号を受信したか否かを判定し（ステップＳ３）、受信した場合には、デジタルカメラ１において現在設定されている露出条件（露出時間、絞り値）で露光を開始する（ステップＳ４）。
【００５２】
そして、設定された露出時間が経過するまで待機し（ステップＳ５）、露出時間が経過したところで露光処理を終了し（ステップＳ６）、この処理を終了する。
【００５３】
また、上記ステップＳ３において、第１のリモコン信号を受信しない場合には、次に、第２のリモコン信号を受信したか否かを判定する（ステップＳ７）。
【００５４】
ここで、第２のリモコン信号を受信しない場合には、上記ステップＳ３へ戻って、第１または第２のリモコン信号を受信するのを待機する。
【００５５】
一方、ステップＳ７において第２のリモコン信号を受信した場合には、露光を開始する（ステップＳ８）。そして、露光を行っている間は、第２のリモコン信号を再度受信したか否かを監視している（ステップＳ９）。
【００５６】
こうして、２度目の第２のリモコン信号を受信したと判定された場合には、上記ステップＳ６へ行って露光処理を終了し、その後にこの処理を終了する。
【００５７】
また、リモコン信号送信装置３０側では、次のような処理を行う。
【００５８】
まず、第１操作部３５が操作されたか否かを判定し（ステップＳ１１）、操作されたと判定された場合には、第１のリモコン信号を送信する（ステップＳ１２）。この第１のリモコン信号が、上述したステップＳ３において、デジタルカメラ１側で受信される信号である。その後、この処理を終了する。
【００５９】
また、ステップＳ１１において第１操作部３５が操作されていないと判定された場合には、次に、第２操作部３６が操作されたか否かを判定する（ステップＳ１３）。
【００６０】
ここで、第２操作部３６が操作されていないと判定された場合には、上記ステップＳ１１へ戻って、第１操作部３５または第２操作部３６が操作されるのを待機する。
【００６１】
ステップＳ１３において、第２操作部３６が操作されたと判定された場合には、第２のリモコン信号を送信する（ステップＳ１４）。この第２のリモコン信号が、上述したステップＳ７において、デジタルカメラ１側で受信される信号である。
【００６２】
ステップＳ１４の処理を行うと同時に、ＣＰＵ３８は、タイマ３７をリセットし（ステップＳ１５）、表示制御部３２を介して液晶モニタ３３にタイマ表示を行わせる（ステップＳ１６）。
【００６３】
そして、第２操作部３６が再度操作されたか否かを判定し（ステップＳ１７）、操作されるまではステップＳ１６へ行ってタイマ表示を行う。
【００６４】
ステップＳ１７において、第２操作部３６が再度操作されたと判定された場合には、第２のリモコン信号を送信する（ステップＳ１８）。この第２のリモコン信号が、上述したステップＳ９において、デジタルカメラ１側で受信される信号である。
【００６５】
そして、第２のリモコン信号を送信し終えると同時に、ＣＰＵ３８はタイマ３７のタイマカウントをストップさせ、その後に所定の表示時間が経過するのを待ってからタイマ表示を終了させ（ステップＳ１９）、この処理を終了する。
【００６６】
なお、リモコン信号送信装置３０は、上述では携帯電話の機能を兼ね備えたものとしているが、これに限るものではなく、デジタルカメラ専用のものであっても構わない。
【００６７】
また、例えば携帯電話の通信機能を利用して、該携帯電話で実行可能なデジタルカメラ１制御用のプログラムをダウンロードし、該プログラムを実行することにより、携帯電話を、上述したような携帯電話の機能を兼ね備えたリモコン信号送信装置３０として機能させるようにしても良い。
【００６８】
さらに、上述では、リモコン信号送信装置３０を用いて撮影を行う際には、デジタルカメラ１において、予め撮影モードをマニュアル撮影モードに設定しておく必要があったが、リモコン信号送信装置から撮影モードを変更するリモコン信号を送信することができるように構成すれば、このような操作をデジタルカメラ１において予め行う必要がなくなり、デジタルカメラ１側の操作をより簡便にすることが可能となる。
【００６９】
そして、ここでは撮像装置としてデジタルカメラ１を例に挙げて説明したが、上述した技術の適用範囲はこれに限るものではなく、例えばリモコンによる操作が可能な銀塩カメラや、静止画撮影機能を備えたビデオカメラ（デジタルビデオカメラを含む）等に適用することも可能であり、これらに限らず静止画を撮影可能な撮像装置に広く適用することができる。従って、例えば、撮像装置側がいわゆるカメラ付き携帯電話、リモコン側が（カメラ付きか否かにかかわらず）携帯電話、の組み合わせであっても構わない。
【００７０】
このような実施形態１によれば、撮像装置側がマニュアル撮影モードに設定されているときに、リモコン信号送信装置側の操作に応じて、通常のマニュアル撮影モードによる撮影と、バルブ撮影と、を選択することができるようにしたために、リモコン装置側のみの操作で通常のマニュアル撮影とバルブ撮影とを容易に切り換えることが可能となる。また、バルブ撮影に切り換えるための操作部材を撮像装置側に設ける必要がないために、撮像装置側の構成を簡単にすることも可能となる。
【００７１】
また、バルブ撮影を行うときには、リモコン信号送信装置においてタイマ表示を行うようにしているために、撮影者は、現在までの露出時間がどのくらいに達しているかを手元で見ることができ、便利となる。
【００７２】
そして、携帯電話をリモコン信号送信装置として用いる場合には、普段使用している携帯電話を用いての撮影が可能となるために、手慣れた操作性のリモコン信号送信装置となり、操作性が向上する。加えて、専用のリモコン信号送信装置の場合には、紛失時などには購入店を介してメーカーへ発注するなどして専用品を再度購入する必要があるが、携帯電話をリモコン信号送信装置として用いる場合には代替え品を容易に入手することが可能となる。
【００７３】
なお、本発明は上述した実施形態に限定されるものではなく、発明の主旨を逸脱しない範囲内において種々の変形や応用が可能であることは勿論である。
【産業上の利用可能性】
【００７４】
本発明は、リモコン信号に基づく所望露出時間の撮影が可能な撮像装置と、この撮像装置へリモコン信号を送信するためのリモコン信号送信装置と、に好適に利用することができる。
【図面の簡単な説明】
【００７５】
【図１】本発明の実施形態１における撮像システムの構成を示すブロック図。
【図２】上記実施形態１において、リモコン撮影を行うときのデジタルカメラ側およびリモコン信号送信装置側の処理を示すフローチャート。
【符号の説明】
【００７６】
１…デジタルカメラ（撮像装置）
２…撮像部
３…レンズ
４…絞り
５…シャッタ
６…撮像素子
７…Ａ／Ｄ変換部
８…撮像制御部（露光量制御部）
９…画像取込制御部
１０…メモリ制御部
１１…ＳＤＲＡＭ
１２…画像処理部
１３…表示制御部
１４…液晶モニタ
１５…メモリカード制御部
１６…通信制御部
１７…フラッシュメモリ
１８…ＣＰＵ（露光量制御部）
１９…メモリカード
２０…操作受付部
２１…リモコン受信部（受信部）
２２…モードダイヤル（撮影モード選択部）
２３…メインダイヤル（露出時間設定部）
２４…サブダイヤル
３０…リモコン信号送信装置
３１…リモコン送信部（送信部）
３２…表示制御部
３３…液晶モニタ（表示部）
３４…通信部
３５…第１操作部
３６…第２操作部
３７…タイマ（タイマ部）
３８…ＣＰＵ（タイマ制御部）
【図１】
2007072010.tif 000003
【図２】
2007072010.tif 000004